(57)【特許請求の範囲】
【請求項１】
インターネット上において１以上の商品を売買するための仮想店舗の運営に用いられるサーバ装置であって、
商品に関する商品情報をユーザの端末画面に表示する画面表示制御部と、
ユーザによりいずれかの商品が購入対象として選択されたことを受け付ける受付部と、
前記受付部が受け付けた商品が特定の商品に関する場合、複数の質問が含まれた質問票と、質問毎の回答例を生成する質問票生成部と、
ユーザからの質問票への回答に応じて、購入可否を判定する購入制御部と、
を備え、
前記画面表示制御部は、前記質問票生成部によって生成された質問票に係る複数の質問をユーザの端末画面に表示させ、
前記受付部は、表示された質問ごとにユーザからの回答を受け付け、
前記購入制御部は、前記受付部によって受け付けた回答が、対応する回答例と１つでも一致していない場合、その商品の購入を否認し、
前記画面表示制御部は、前記購入制御部が購入を否認した場合、削除＆お気に入り追加ボタンをユーザの端末画面に表示し、
前記受付部は、削除＆お気に入り追加ボタンがユーザにより選択されたことを受け付けて、否認された商品を購入対象から削除すると共に、お気に入りリストに追加する
ことを特徴とするサーバ装置。
【請求項２】
前記質問票生成部は、
２択形式による質問を複数生成し、複数の質問に対するそれぞれの回答例が２択のうちの一方に偏らないように質問を生成する
ことを特徴とする請求項１に記載のサーバ装置。
【請求項３】
前記質問票生成部は、
同一の商品に対する質問票が生成される回答例が常に同じにはならないように、所定の確率で、質問の趣旨が論理反転するように、質問の文章を変更する
ことを特徴とする請求項１または２に記載のサーバ装置。
【請求項４】
前記画面表示制御部は、ユーザの端末画面に、複数生成された質問をランダムな順序で表示する
ことを特徴とする請求項１から３のいずれかに記載のサーバ装置。
【請求項５】
前記画面表示制御部は、前記購入制御部が購入を承認した場合のみ、購入ボタンをユーザの端末画面に表示する
ことを特徴とする請求項１から４のいずれかに記載のサーバ装置。
【請求項６】
前記購入制御部は、ユーザごとに、同一商品の購入回数をカウントし、
前記画面表示制御部は、ユーザの端末画面において、商品ごとの購入回数を商品の近傍に表示することを特徴とする請求項１から５のいずれかに記載のサーバ装置。
【請求項７】
インターネット上において１以上の商品を売買するための仮想店舗の運営に用いられるプログラムであって、
商品に関する商品情報をユーザの端末画面に表示するステップと、
ユーザによりいずれかの商品が購入対象として選択されたことを受け付けるステップと、
受け付けた商品が特定の商品に関する場合、複数の質問が含まれた質問票と、質問毎の回答例を生成するステップと、
ユーザからの質問票の回答に応じて、購入可否を判定するステップと、
をコンピュータに実行させるためのプログラムであって、
前記表示するステップは、生成された質問票に係る複数の質問をユーザの端末画面に表示させ、
前記受け付けるステップは、表示された質問ごとにユーザからの回答を受け付け、
前記判定ステップは、受け付けた回答が、対応する回答例と１つでも一致していない場合、その商品の購入を否認し、
前記表示するステップは、前記購入制御部が購入を否認した場合、削除＆お気に入り追加ボタンをユーザの端末画面に表示し、
前記受け付けるステップは、削除＆お気に入り追加ボタンがユーザにより選択されたことを受け付けて、否認された商品を購入対象から削除すると共に、お気に入りリストに追加する
ことを特徴とするプログラム。
【請求項８】
インターネット上において１以上の商品を売買するための仮想店舗の運営に用いられる１以上のサーバ装置を含むシステムであって、
商品に関する商品情報をユーザの端末画面に表示する画面表示制御部と、
ユーザによりいずれかの商品が購入対象として選択されたことを受け付ける受付部と、
前記受付部が受け付けた商品が特定の商品に関する場合、複数の質問が含まれた質問票と、質問毎の回答例を生成する質問票生成部と、
ユーザからの質問票の回答に応じて、購入可否を判定する購入制御部と、
を備え、
前記画面表示制御部は、前記質問票生成部によって生成された質問票に係る複数の質問をユーザの端末画面に表示させ、
前記受付部は、表示された質問ごとにユーザからの回答を受け付け、
前記購入制御部は、前記受付部によって受け付けた回答が、対応する回答例と１つでも一致していない場合、その商品の購入を否認し、
前記画面表示制御部は、前記購入制御部が購入を否認した場合、削除＆お気に入り追加ボタンをユーザの端末画面に表示し、
前記受付部は、削除＆お気に入り追加ボタンがユーザにより選択されたことを受け付けて、否認された商品を購入対象から削除すると共に、お気に入りリストに追加する
ことを特徴とするシステム。
【発明の詳細な説明】
【技術分野】
【０００１】
本発明は、電子商取引システムに関する技術に関する。
【背景技術】
【０００２】
従来、ネットワークを用いた電子商取引（ＥＣ：Ｅｌｅｃｔｒｉｃ  Ｃｏｍｍｅｒｃｅ）において、さまざまな商品の販売行為が行われている。たとえば、特許文献１では、顧客の問診アンケートをもとに、顧客に提供すべき商品を決定する方法が記載されている。
【先行技術文献】
【特許文献】
【０００３】
【特許文献１】特開２０１３−２３９１６０号公報
【発明の概要】
【発明が解決しようとする課題】
【０００４】
従来における問診アンケートは、商品ごとに行われる性質のものではなく、商品購入の際の必要条件とはされていなかった。そのため、問診アンケートを受けなくても、あるいは、事実と異なる情報を回答したとしても、商品の購入が可能であった。
【０００５】
しかしながら、医薬品などの販売の際において正確な医療問診がされないと、不適切な医薬品が販売される可能性があった。
【０００６】
本発明はかかる課題に鑑みてなされたものであり、その目的は、電子商取引において、特定の商品が不適切に販売される可能性を低減させるサーバ装置、プログラム、および、システムを提供することにある。
【課題を解決するための手段】
【０００７】
本発明のある態様は、サーバ装置に関する。このサーバ装置は、インターネット上において１以上の商品を売買するための仮想店舗の運営に用いられるサーバ装置であって、商品に関する商品情報をユーザの端末画面に表示する画面表示制御部と、ユーザによりいずれかの商品が購入対象として選択されたことを受け付ける受付部と、受付部が受け付けた商品が特定の商品に関する場合、複数の質問が含まれた質問票と、質問毎の回答例を生成する質問票生成部と、ユーザからの質問票の回答に応じて、購入可否を判定する購入制御部と、を備える。画面表示制御部は、質問票生成部によって生成された質問票に係る複数の質問をユーザの端末画面に表示させ、受付部は、表示された質問ごとにユーザからの回答を受け付け、購入制御部は、受付部によって受け付けた回答が、対応する回答例と１つでも一致していない場合、その商品の購入を否認する。
【０００８】
このような態様によると、複数の質問をユーザの端末画面に表示させ、質問ごとにユーザからの回答を受け付けた回答が、対応する回答例と１つでも一致していない場合、その商品の購入を否認することによって、特定の商品が不適切に販売される可能性を低減させることができる。
【０００９】
また、このサーバ装置において、質問票生成部は、２択形式による質問を複数生成し、複数の質問に対するそれぞれの回答例が２択のうちの一方に偏らないように質問を生成してもよい。
【００１０】
このような態様によると、２択形式による質問を複数生成し、複数の質問に対するそれぞれの回答例が２択のうちの一方に偏らないように質問を生成することによって、質問を見ずに回答するといった行為を抑制でき、特定の商品が不適切に販売される可能性を低減させることができる。
【００１１】
また、このサーバ装置において、質問票生成部は、同一の商品に対する質問票が生成される回答例が常に同じにはならないように、所定の確率で、質問の趣旨が論理反転するように、質問の文章を変更してもよい。
【００１２】
このような態様によると、同一の商品に対する質問票が生成される回答例が常に同じにはならないように、所定の確率で、質問の趣旨が論理反転するように、質問の文章を変更することによって、質問の数を増やすことができ、また、質問を見ずに回答するといった行為を抑制できるので、特定の商品が不適切に販売される可能性を低減させることができる。
【００１３】
また、このサーバ装置において、画面表示制御部は、ユーザの端末画面に、複数生成された質問をランダムな順序で表示してもよい。
【００１４】
このような態様によると、ユーザの端末画面に、複数生成された質問をランダムな順序で表示することによって、質問を見ずに回答するといった行為を抑制できるので、特定の商品が不適切に販売される可能性を低減させることができる。
【００１５】
また、このサーバ装置において、画面表示制御部は、購入制御部が購入を否認した場合、削除＆お気に入り追加ボタンをユーザの端末画面に表示し、受付部は、削除＆お気に入り追加ボタンがユーザにより選択されたことを受け付けて、否認された商品を購入対象から削除すると共に、お気に入りリストに追加してもよい。
【００１６】
このような態様によると、購入制御部が購入を否認した場合、削除＆お気に入り追加ボタンをユーザの端末画面に表示し、削除＆お気に入り追加ボタンがユーザにより選択されたことを受け付けられると、否認された商品を購入対象から削除すると共に、お気に入りリストに追加することによって、仮に購入できない商品があった場合でもそれを除いて商品の購入を継続することができ、除いた商品についても再びアクセスすることが容易であるため、ユーザの利便性を高めることができる。
【００１７】
また、このサーバ装置において、画面表示制御部は、購入制御部が購入を承認した場合のみ、購入ボタンをユーザの端末画面に表示してもよい。
【００１８】
このような態様によると、購入制御部が購入を承認した場合のみ、購入ボタンをユーザの端末画面に表示することによって、特定の商品が不適切に販売される可能性を低減させることができる。
【００１９】
また、このサーバ装置において、購入制御部は、ユーザごとに、同一商品の購入回数をカウントし、画面表示制御部は、ユーザの端末画面において、商品ごとの購入回数を商品の近傍に表示してもよい。
【００２０】
このような態様によると、ユーザごとに、同一商品の購入回数をカウントし、画面表示制御部は、ユーザの端末画面において、商品ごとの購入回数を商品の近傍に表示することによって、ユーザは以前購入した商品を容易に知ることができるため、買い間違えを防ぐことができ、ユーザの利便性を高めることができる。
【００２１】
本発明の別の対象は、プログラムである。このプログラムは、インターネット上において１以上の医薬品を含む商品を売買するための仮想店舗の運営に用いられるプログラムであって、商品に関する商品情報をユーザの端末画面に表示するステップと、ユーザによりいずれかの商品が購入対象として選択されたことを受け付けるステップと、受け付けた商品が医薬品に関する場合、その医薬品の服用予定者に対する複数の質問が含まれた質問票と、質問毎の回答例を生成するステップと、ユーザからの質問票の回答に応じて、購入可否を判定するステップと、をコンピュータに実行させるためのプログラムであって、表示するステップは、生成された質問票に係る複数の質問をユーザの端末画面に表示させ、受け付けるステップは、表示された質問ごとにユーザからの回答を受け付け、判定ステップは、受け付けた回答が、対応する回答例と１つでも一致していない場合、その商品の購入を否認する。
【００２２】
本発明の別の態様は、システムである。このシステムは、インターネット上において１以上の医薬品を含む商品を売買するための仮想店舗の運営に用いられる１以上のサーバ装置を含むシステムであって、商品に関する商品情報をユーザの端末画面に表示する画面表示制御部と、ユーザによりいずれかの商品が購入対象として選択されたことを受け付ける受付部と、受付部が受け付けた商品が医薬品に関する場合、その医薬品の服用予定者に対する複数の質問が含まれた質問票と、質問毎の回答例を生成する質問票生成部と、ユーザからの質問票の回答に応じて、購入可否を判定する購入制御部と、を備え、画面表示制御部は、質問票生成部によって生成された質問票に係る複数の質問をユーザの端末画面に表示させ、受付部は、表示された質問ごとにユーザからの回答を受け付け、購入制御部は、受付部によって受け付けた回答が、対応する回答例と１つでも一致していない場合、その商品の購入を否認する。
【００２３】
なお、以上の構成要素の任意の組み合わせ、本発明の表現を方法、装置、システム、コンピュータプログラムなどの間で変換したものもまた、本発明の態様として有効である。
【発明の効果】
【００２４】
本発明によると、特定の商品が不適切に販売される可能性を低減させることができる。
【発明を実施するための形態】
【００２５】
本発明の実施例を説明する前に、まず、本発明の概要を述べる。本発明は、電子商取引システムに関し、特に、インターネット上において商品を売買するための仮想店舗に関する。
【００２６】
仮想店舗においては、電子商取引の対象となる商品が揃えられ、ユーザがいずれかの商品を選択することにより、オンライン上での売買が実施される。ユーザの端末には１以上の商品について、商品名、価格の他、医療的な問診を受け付けるためのチェックボタンが表示される。
【００２７】
従来、このような問診は単なるアンケートであり、また、ユーザ登録の際などに行われるのみで、商品購入ごとに実施されるものではなかった。また、問診に対して、ユーザから真摯な回答が得られないこともしばしばあり、問診結果の信頼性は必ずしも高くはなかった。
【００２８】
本発明においては、以上の課題を解消しており、医薬品などの特定の商品が不適切に販売される可能性を低減させるために、商品購入ごとに質問票（例えば、問診票など）を生成してユーザに回答を求めることで、ユーザの真摯な回答を促し、回答結果の信頼性を高めることとした。以下、特定の商品が医薬品である場合について説明するが、本発明は、購入前に購入者又は使用者が所定の条件を満たしているかの確認が必要な医薬品以外の商品についても適用可能である。
【実施例１】
【００２９】
まず、実施例１について説明する。図１は、本発明の実施例１にかかるＥＣシステム１００を示す図である。ＥＣシステム１００は、サーバ１０と、サーバ１０と基地局４０とを有線回線で接続するネットワーク３０と、基地局４０で代表される第１基地局４０ａ〜第３基地局４０ｃと、モバイル端末５０で代表される第１モバイル端末５０ａ〜第３モバイル端末５０ｃと、ＰＣ端末７０とを含む。また、モバイル端末５０として、例えばフィーチャーフォンやスマートフォンが含まれ、サーバ１０により、ネットサービスを店舗用端末の種類を問わず提供することができる。
【００３０】
なお、図示の都合上、サーバ１０は１台のみ、基地局４０、モバイル端末５０は共に３台のみ図示したが、これにかぎらず、それ以上の基地局４０、モバイル端末５０が存在してもよい。ＰＣ端末７０についても同様である。また、第１モバイル端末５０ａ〜第３モバイル端末５０ｃは、それぞれ異なる基地局５０と接続されるとして図示しているが、これにかぎらず、１つの基地局５０に複数のモバイル端末５０が接続されていても、本発明が適用可能であることは言うまでもない。
【００３１】
サーバ１０は、インターネット上において１以上の医薬品を含む商品を売買するための仮想店舗の運営に用いられるＥＣサイトを制御するための装置である。サーバ１０は、ネットワーク３０と基地局４０とを介して、モバイル端末５０やＰＣ端末７０との間で、電子商取引に関する通信処理を実行する。なお、以下においては、説明を簡易にするため、単に、「サーバ１０とモバイル端末５０ないしＰＣ端末７０との間で通信処理を実行する」などと表現し、ネットワーク３０および基地局４０を介する点については記載を省略する。
【００３２】
ここで、サーバ１０は、ＥＣサイトで取り扱う商品の情報を記憶し、管理するメモリ機能と、ユーザの端末の画面表示を制御する画面表示制御機能と、商品ごとに質問票を生成する質問票生成機能と、商品の購入可否を判定する購入制御機能と、ＥＣシステム１００を運営する運営者からの情報を受け付けるインタフェース機能とを有する。
【００３３】
メモリ機能は、ＥＣサイトに出店している仮想店舗ごとに、取扱商品についての情報を記憶する。取扱商品についての情報には、商品の識別番号や名称、価格、医薬品であるか否かが示された医薬品識別情報、関連する商品情報、商品の価格の低さに関するユーザからのリコメンドを受け付けるための「安いねボタン」が押された回数などが含まれる。医薬品識別情報が医薬品であることを示している場合、その商品との飲み合わせに関する情報が含まれていてもよい。これらは、他の機能によりアクセスされて、随時更新される。また、メモリ機能は、ユーザのＩＤを管理し、過去に購入した商品情報やリコメンドした商品、リコメンドの累積回数を併せて記憶する。
【００３４】
質問票生成機能は、ユーザが選択した商品が医薬品などの特定の商品である場合に、その商品についての質問票（問診票）と回答例を生成する。質問票（問診票）は複数の質問を含む。それぞれの質問は、生成されるたびに趣旨、順序が変わるように生成される。これにより、ユーザからの安易、消極的な回答を抑制できる。
【００３５】
購入制御機能は、質問票（問診票）に含まれた質問のすべてにおいて回答例と一致した場合はその商品の購入を承認し、そうでない場合は購入を否認する。また、複数の医薬品を購入するケースにおいて、飲み合わせを控えるべき医薬品の組が含まれていた場合、いずれかの医薬品の購入を否認する。これにより、不適切な医薬品が販売される可能性を低減させることができる。
【００３６】
画面表示制御機能は、ユーザのＰＣあるいは携帯端末（以下、「ユーザ端末」という。）の画面に、商品情報、過去の購入回数、チェックボタン、「安いねボタン」、「安いねボタン」が選択された回数を表示する。チェックボタンが選択された場合、質問票（問診票）、回答ボタンを表示する。「安いねボタン」が選択された場合には、そのユーザに対するメッセージを表示する。メッセージには、選択された商品をそのユーザに対するお勧め商品に関する情報が含まれていてもよい。「安いねボタン」が押された回数が所定以上となったユーザの端末画面に、価格を減額させるための電子クーポンを表示してもよい。
【００３７】
インタフェース機能は、サーバ１０に対して、ＥＣサイトの管理者あるいは仮想店舗の管理者からの指示を受け付けるインタフェースである。受け付ける指示には、仮想店舗の開設、削除や、ＥＣサイト全体あるいは仮想店舗ごとの特集、特売情報、ユーザへのメッセージ内容などが含まれてもよい。
【００３８】
図２は、図１のＥＣシステム１００におけるサーバ１０の構成例を示す図である。サーバ１０は、サーバ通信部１２と、受付部１４と、サーバメモリ１６と、質問票生成部１８と、画面表示制御部２０と、購入制御部２２と、入出力インタフェース２４とを含む。
【００３９】
サーバ通信部１２は、ユーザ端末からの信号を受信し、所定の復調処理を実施して、受付部１４と、質問票生成部１８と、画面表示制御部２０と、購入制御部２２と、入出力インタフェース２４に復調された信号を送る。また、受付部１４と、質問票生成部１８と、画面表示制御部２０と、購入制御部２２と、入出力インタフェース２４から送られた信号に対して所定の変調処理を実施して、ユーザ端末に送信する。なお、サーバ通信部１２における変復調処理は、従来用いられている変復調技術が用いられてよく、このような態様であったとしても、本発明を適用することができることは当業者に理解されるところである。
【００４０】
受付部１４は、ユーザによりいずれかの商品が購入対象として選択されたことを受け付ける。また、受付部１４は、画面表示制御部２０によって表示された質問ごとにユーザからの回答を受け付ける。また、受付部１４は、削除＆お気に入り追加ボタンがユーザにより選択されたことを受け付けて、否認された商品を購入対象から削除すると共に、お気に入りリストに追加する。また、画面表示制御部２０によって表示された商品についてユーザにより「安いねボタン」が選択された場合、その商品についてのリコメンドを受け付けて、サーバメモリ１６に登録する。
【００４１】
サーバメモリ１６は、商品ごと、ユーザごとに情報を記憶する。商品ごとの情報としては、商品ID、店舗ID、商品名、商品情報、商品画像、販売価格、ＥＣシステム１００に当該店舗の取扱い商品として登録された日、売り上げ個数、売り上げ額などの他、医薬品であるか否かが示された医薬品識別情報、関連する商品情報、飲み合わせに関する情報が含まれていてもよい。また、サーバメモリ１６は、商品とその商品に関連する商品とを紐づけて記憶し、かつ、商品ごとに商品情報として医薬品であるか否かが示された医薬品識別情報を記憶してもよい。また、商品が医薬品である場合には、問診票を作成するためのその商品に対応する質問及び回答例を記憶してもよい。また、仮想店舗において取り扱っている複数の医薬品のそれぞれについて、飲み合わせを控えるべき医薬品を対応付けて記憶する。また、サーバメモリ１６は、ユーザのアカウントと、商品の送付先が示された送付先住所情報、および、過去に購入した商品と購入日をユーザごとに記憶する。
【００４２】
また、サーバメモリ１６は、商品情報として、その商品の取扱元の仮想店舗のＩＤ情報と、商品ＩＤ情報と、商品の発売開始日情報と、販売履歴情報と、ユーザからの評価が示された評価情報とを管理する。これらの情報は、ＥＣシステム１００内に存在する商品であれば、その商品へのリンク付がなされることにより管理されてもよい。評価情報としては、商品ごとに、所定期間内に「安いねボタン」が押された回数や、所定期間内にその商品が表示されたウェブページへのアクセス回数、所定期間内にユーザのお気に入りに追加された回数、レビュー評価点のいずれか１つ以上を管理する。また、購買履歴として、商品ごとに、所定期間内に売れた個数、所定期間内の売上総額のいずれか１つ以上を管理する。
【００４３】
質問票生成部１８は、受付部１４が受け付けた商品が医薬品に関する場合、その医薬品の服用予定者に対する複数の質問が含まれた質問票（問診票）と、質問毎の回答例を生成する。質問票（問診票）と回答例の生成は、質問票生成部１８がユーザが選択した商品に対応する質問及び回答例をサーバメモリ１６から読み出すことによって行われてもよい。医薬品以外の場合であっても、たとえば、化粧品などの場合において、事前カウンセリングとして、「肌状態」や「皮膚科受診履歴」などの質問が含まれた質問票（問診票）を作成してもよい。
【００４４】
また、質問票生成部１８は、２択形式による質問を複数生成する。たとえば、ＹｅｓとＮｏの２択であってもよいし、２つの選択肢を提示してもよい。この場合、３以上の選択肢を提示してもよいし、階層的に質問を構成してもよい。また、質問票生成部１８は、複数の質問に対するそれぞれの回答例が２択のうちの一方に偏らないように質問を生成する。たとえば、ＹｅｓとＮｏの２択形式の複数の質問がある場合、すべての質問の回答例がＹｅｓに偏らない、あるいは、Ｎｏに偏らないように、少なくとも１つ以上の回答例は、他の回答例と異なる回答となるように、質問を生成する。
【００４５】
また、質問票生成部１８は、同一の商品に対する質問票（問診票）が生成される回答例が常に同じにはならないように、所定の確率で、質問の趣旨が論理反転するように、質問の文章を変更する。たとえば、「１８歳以上の年齢であれば服用可能な医薬品」があった場合、質問としては、「１８歳以上ですか？」という質問と「１８歳未満ですか？」という２種類が想定され、前者であればＹｅｓ，後者であればＮｏという回答があれば、服用が可能であり、購入が許可されてよいこととなる。このようにするためには、質問の趣旨が論理反転した質問どうしを対応付けてサーバメモリ１６に記憶しておけばよい。そして、過去にユーザに対して出題した質問をサーバメモリ１６に記憶しておき、質問票生成部１８が質問票（問診票）を生成する際に過去にユーザに対して出題した質問を参照し、以前出題した質問と対応付けられた（論理反転した）質問を含めて質問票（問診票）を生成するようにすればよい。このように、質問の趣旨が論理反転するように、質問の文章を変更することによって、ＹｅｓとＮｏの２択形式の複数の質問がある場合、すべての質問の回答例がＹｅｓに偏らない、あるいは、Ｎｏに偏らないような質問が生成でき、もって、ユーザによる不適当な回答（たとえば、質問を見ることなく、すべてＹｅｓを選択する、あるいは、過去の記憶を頼りに回答するなど）を低減でき、真摯な回答を引き出すことができる。
【００４６】
購入制御部２２は、ユーザからの質問票（問診票）の回答に応じて、購入可否を判定する。受付部１４によって受け付けた回答が、対応する回答例と１つでも一致していない場合、その商品の購入を否認する。質問票（問診票）で購入が否認された場合に、その商品をお気に入りに追加するのと購入商品から削除することを同時にできる「削除＆お気に入り追加ボタン」をユーザ端末に表示させるよう、画面表示制御部２０に指示してもよい。これにより、ＮＧ商品をひとまず避けて、他の商品の購入処理を進めることができ、ユーザの利便性を向上できる。一方、全ての回答が一致している場合、購入を許可する。これにより、問診に適切に回答しなければ商品を購入することができないので、ユーザは問診を注意して見るようになる。
【００４７】
また、購入制御部２２は、ユーザごとに、同一商品の購入回数をカウントして、サーバメモリ１６に記憶する。また、購入制御部２２は、同一ユーザにおいて複数の医薬品が購入対象とされた場合、サーバメモリ１６にアクセスして、複数の医薬品のうちのいずれか２以上の医薬品が飲み合わせを控えるべき医薬品の組み合わせであるか否かを判定する。ここで、購入制御部２２は、飲み合わせを控えるべき組み合わせに係る複数の医薬品のうち、受付部１４において最初に選択された医薬品以外の購入を否認してもよい。最初ではなく、最後に選択された医薬品以外の購入を否認してもよいし、購入対象とすべき医薬品をユーザに選択させた上で、残りの医薬品の購入を否認してもよい。
【００４８】
また、購入制御部２２は、購入可否を判定する際にサーバメモリ１６にアクセスして、受付部１４によって商品購入を受け付けたユーザのアカウントおよび過去の購入履歴を取得する。ここで、購入制御部２２は、条件１として、過去に購入した医薬品と、現在購入しようとしている医薬品との組み合わせが飲み合わせを控えるべき医薬品の組み合わせであること、および、条件２として、過去の購入時から所定の期間が経過していないことを判定する。双方の条件が同時に満たされている場合、購入制御部２２は、購入を否認する。
【００４９】
上記の条件１と２は、たとえば、以下のような組を想定している。これらの組み合わせ、あるいは、所定期間は、それぞれの医薬品と対応付けられてサーバメモリ１６で管理される。
・服用間隔を問わず、同種もしくは異なる２つ以上の医薬品の飲み合わせを控えるべき場合
・所定の服用期間を経ない場合、同種もしくは異なる２つ以上の医薬品の飲み合わせを控えるべき場合
・同種の医薬品を同時に服用する際の個数制限が設定されている場合
【００５０】
また、購入制御部２２は、ユーザのアカウントが異なっていても、送付先住所情報が同じであれば、同一ユーザとみなして、上記２つの条件を用いて購入可否を判定する。これにより、医薬品の不正取得を防ぐことができる。
【００５１】
画面表示制御部２０は、商品に関する商品情報をユーザ端末の画面に表示する。また、画面表示制御部２０は、質問票生成部１８によって生成された質問票（問診票）に係る複数の質問を１つずつ順にユーザ端末の画面に表示させる。ユーザ端末の画面に表示させる際に、複数生成された質問をランダムな順序で表示してもよい。
【００５２】
また、画面表示制御部２０は、購入制御部２２が購入を否認した場合、削除＆お気に入り追加ボタンをユーザの端末画面に表示してもよい。また、画面表示制御部２０は、購入制御部２２が購入を承認した場合のみ、購入ボタンをユーザの端末画面に表示する。購入制御部２２において、飲み合わせを控えるべき医薬品の組み合わせであると判定された場合、ユーザの端末画面に、購入対象を変更させるためメッセージを表示する。
【００５３】
また、画面表示制御部２０は、ユーザの購入履歴についてサーバメモリ１６にアクセスして、そのユーザの端末画面において、商品ごとの購入回数を商品の近傍に表示する。複数の商品が一覧で表示される場合、購入回数の多い順にソートされて表示されてもよい。たとえば、購入回数が多いほど、画面の上部ないし左側に表示されるように制御してもよい。購入履歴表示そのものではなく、他の商品も含めた一覧表示中において、購入回数を表示することによって、ユーザの利便性を向上できる。これにより、ユーザが定期的に購入する商品に対してアクセスをしやすくすると共に、買い間違えを防止することができる。
【００５４】
また、画面表示制御部２０は、サーバメモリ１６にアクセスして、商品に関する商品情報と、商品の価格の低さに対するユーザからの推薦が示されたリコメンドを受け付けるための「安いねボタン」を商品ごとにユーザ端末の画面に表示する。また、画面表示制御部２０は、サーバメモリ１６にアクセスして、カウントされた商品ごとの回数をその商品が表示されているユーザ端末の画面に表示する。また、受付回数が所定以上となったユーザ端末の画面に、価格を減額させるための電子クーポンを表示する。
【００５５】
また、画面表示制御部２０は、受付部１４においてリコメンドが受け付けられた場合、リコメンドしたユーザ端末の画面において、そのユーザに対するメッセージを表示する。メッセージは、リコメンドされた商品が表示された位置の近傍や「安いねボタン」の近傍などに表示されてもよい。表示されるメッセージは、ユーザがリコメンドした商品に関する情報、仮想店舗により設定された情報、あるいは、ユーザの購入履歴のいずれか１つ以上に基づいて生成されてもよい。
【００５６】
リコメンドした商品に関する情報とは、リコメンドした商品についての利点や関連する商品についての情報を含む。また、リコメンドした商品に関連する商品やそれ以外についての広告に関する情報であってもよい。また、商品が医薬品であった場合、飲み合わせに関する情報であってもよい。たとえば、同時に飲み合わせるべきでない商品、所定の時間をおいてからでないと服用すべきでない商品について、ユーザに紹介するようなメッセージが生成されてもよい。
【００５７】
また、仮想店舗により設定された情報とは、仮想店舗が主催する特定の期間におけるバーゲンセールやポイントアップセールなどに関する情報を含む。ユーザの購入履歴は、所定の期間内において購入した商品の属性を含み、それら属性が考慮されたおすすめ商品などを含む。たとえば、そのユーザが一緒に購入している商品であったり、あるいは、その商品について多くのユーザが共に購入している商品であってもよい。
【００５８】
また、表示されるメッセージとしては、購入制御部２２によって選択された商品をそのユーザに対するお勧め商品としてユーザ端末の画面に表示してもよい。このお勧め商品の表示は、メッセージ内に含められてもよい。
【００５９】
受付部１４においてリコメンドが受け付けられた場合、リコメンドされた商品が医薬品に関する商品であるか否かにかかわらず、サーバメモリ１６にアクセスすることによって、複数の商品の中から、リコメンドされた商品に関連し、かつ、医薬品以外の商品を選択する。たとえば、商品として「ビール」についてのリコメンドが選択された場合、医薬品である「胃腸薬」はおすすめ対象とせず、「ウコン」や「清涼飲料水」などをお勧め商品として選択してもよい。また、商品として「風邪薬」についてのリコメンドが選択された場合、「マスク」などをお勧め商品として選択してもよい。このように、適正且つユーザのためになるような商品をお勧めすることによって、仮想店舗側はアップセルを促進でき、ユーザはそのＥＣサイトをより利用するようになる。加えて、リコメンドが促進されるので、ＥＣシステム１００全体の信頼性を向上でき、ユーザの誘致が容易となるので、プラスの循環が醸成される。
【００６０】
また、ユーザがリコメンドした商品に関する情報、仮想店舗により設定された情報、あるいは、ユーザの購入履歴のいずれか１つ以上に基づいて選択されてもよい。「１つ以上に基づいて選択」とは、「ユーザがリコメンドした商品に関する情報」、「仮想店舗により設定された情報」、「ユーザの購入履歴」の条件のいずれか２つにおいて同じ商品が選択されている場合、あるいは、３つの条件のうち重複した数が多い商品をお勧め対象として選択してもよい。
【００６１】
入出力インタフェース２４は、ＥＣサイト運営者や仮想店舗運営者のためのインタフェースであり、商品情報の登録やユーザに対するメッセージ、あるいは、特売情報などのコンテンツを作成するための画面を表示する画面インタフェースと、キーボードやタッチパネルなどを介して入力を受け付ける入力インタフェースと、カメラなどの画像撮像手段を含む。
【００６２】
ここで、図３と図４を用いて、画面表示制御部２０にて表示されるユーザ端末の画面表示の態様について説明する。図３は、図２の画面表示制御部２０によってユーザ端末に表示される第１の画面表示例２００を示す図である。
【００６３】
第１の画面表示例２００は、商品画像表示欄２１０と、商品情報表示欄２１２と、購入情報表示欄２１４と、お気に入り追加ボタン２１６と、チェックボタン２１８と、質問票表示欄２２０と、質問内容表示欄２２２と、回答ボタン２２４とを含む。
【００６４】
商品画像表示欄２１０は、商品の画像が表示される欄である。商品情報表示欄２１２は、商品名称や商品についての説明に加え、医薬品である場合はその旨が表示される。購入情報表示欄２１４は、商品の価格や割引率、購入個数、「安いねボタン」が表示される欄である。
【００６５】
お気に入り追加ボタン２１６は、ユーザが選択することで、その商品がお気に入り商品としてサーバメモリ１６に登録されるためのボタンである。チェックボタン２１８は、その商品を取り扱う仮想店舗が事前に設定した情報を見るためのボタンである。商品が医薬品の場合、質問票（問診票）が表示される。質問票表示欄２２０は、質問票（問診票）が表示される欄である。質問票表示欄２２０は、図示するごとく、１つ１つの質問に順に回答する形式であってもよい。質問の内容は質問内容表示欄２２２に表示されて、ユーザは、回答ボタン２２４のいずれかを選択することで回答する。
【００６６】
図４は、図２の画面表示制御部２０によってユーザ端末に表示される第２の画面表示例３００を示す図である。第２の画面表示例３００は、商品一覧表示欄３１０と、商品表示欄３１２と、購入回数表示欄３１４とを含む。
【００６７】
商品一覧表示欄３１０は、複数の商品が一覧として表示される欄である。商品表示欄３１２は、個々の商品の画像や価格などの商品の情報や「安いねボタン」が表示される欄である。購入回数表示欄３１４は、ユーザが過去に購入した回数が表示される欄である。
【００６８】
つぎに、ユーザ端末側の構成について説明する。図５は、図１のモバイル端末５０あるいはＰＣ端末７０における構成例を示す図である。ここでは、説明の都合上、モバイル端末５０の構成として説明するが、ＰＣ端末７０においても同様の構成となる。
【００６９】
モバイル端末５０は、端末通信部５２と、端末制御部５４と、ユーザインタフェース５６と、端末メモリ５８とを備える。端末通信部５２は、サーバ１０から指示された画像を表示するためのプログラムや、サーバ１０からの問い合わせメッセージ、あるいは、他のユーザからのメッセージなどを受信する。また、ユーザがモバイル端末５０を介して商品の購入、質問票（問診票）への回答、あるいは、「安いねボタン」が押すなどの入力を行った場合、その入力に関する情報ををサーバ１０に送信する。
【００７０】
端末制御部５４は、ユーザインタフェース５６を介してユーザからの指示を受け付けて、端末メモリ５８にアクセスしながら、プログラムのインストール制御や、商品の購入、あるいは、「安いねボタン」が押された場合の管理を行う。
【００７１】
また、ユーザインタフェース５６は、図３の第１の画面表示例２００や図４の第２の画面表示例３００のような画面を表示する画面インタフェースと、キーボードやタッチパネルなどのユーザからの入力を受け付ける入力インタフェースと、カメラなどの画像撮像手段を含む。
【００７２】
ユーザインタフェース５６は、ユーザからの質問票（問診票）への回答、「安いねボタン」の選択、商品の選択、購入の決定などの指示を受け付けて、端末制御部５４に伝える。
【００７３】
図６は、図１のＥＣシステムにおけるサーバ１０の処理手順例を示すフローチャートである。この処理手順例は、ユーザ端末に表示された商品のうち、いずれかの商品をユーザが選択したことを契機として開始されてもよい。
【００７４】
まず、サーバ１０は、選択された商品（あるいは、買い物カゴに入れられた商品のいずれか）が特定の商品（たとえば、医薬品）であるか否かについて判定する（Ｓ１０）。特定の商品でない場合（Ｓ１０のＮｏ）、Ｓ２６の購入処理に移る。一方、特定の商品である場合（Ｓ１０のＹｅｓ）、その商品についての質問票（特定の商品が医薬品の場合は問診票）を生成して（Ｓ１２）、ユーザ端末の画面に表示する（Ｓ１４）。
【００７５】
ここで、サーバ１０は、質問票（問診票）に対する回答をユーザから受け付けるまで待機し、質問票（問診票）は表示されたままとなる（Ｓ１６のＮｏ、Ｓ１４）。質問票（問診票）に対する回答をユーザから受け付けた場合（Ｓ１６のＹｅｓ）、受け付けた回答と、その質問の回答例とを照合する（Ｓ１８）。双方が一致しておらず不正解の場合（Ｓ１８のＮｏ）、サーバ１０は、購入を否認して（Ｓ２０）、処理を終了する。
【００７６】
双方が一致している場合（Ｓ１８のＹｅｓ）、つぎの質問に移り、すべての質問の回答が終わるまで、サーバ１０は、これら一連の処理を繰り返す（Ｓ２２のＮｏ、Ｓ１４〜Ｓ１８）。すべての質問の回答が終わり、かつ、すべての回答が正解であった場合（Ｓ１８のＹｅｓ、Ｓ２２のＹｅｓ）、サーバ１０は購入を承認し（Ｓ２４）、購入処理を実行する（Ｓ２６）。
【００７７】
以上のような態様によると、複数の質問をユーザの端末画面に表示させ、質問ごとにユーザからの回答を受け付けた回答が、対応する回答例と１つでも一致していない場合、その商品の購入を否認することによって、商品（医薬品など）が不適切に販売される可能性を低減させることができる。また、２択形式による質問を複数生成し、複数の質問に対するそれぞれの回答例が２択のうちの一方に偏らないように質問を生成することによって、質問を見ずに回答するといった行為を抑制でき、もって商品（医薬品など）が不適切に販売される可能性を低減させることができる。
【００７８】
また、同一ユーザにおいて複数の医薬品が購入対象とされた場合、飲み合わせを控えるべき医薬品の組み合わせであると判定された場合、ユーザの端末画面に、購入対象を変更させるためメッセージを表示することによって、医薬品が不適切に販売される可能性を低減させることができる。また、飲み合わせを控えるべき組み合わせに係る複数の医薬品のうち、受付部において最初に選択された医薬品以外の購入を否認することによって、必要最小限の医薬品の購入処理を迅速に実行させることができ、ユーザの利便性を高められ、質問に対する回答意欲を促進できるので、もって不適切な医薬品が販売される可能性を低減させることができる。
【００７９】
また、ユーザのアカウントが異なっていても、送付先住所情報が同じであれば、同一ユーザとみなして購入可否を判定することによって、複数アカウントを所有することによる医薬品の不正取得を抑制することができ、もって医薬品が不適切に販売される可能性を低減させることができる。
【００８０】
以上、本発明を実施例をもとに説明した。本発明は上述した実施例並びに各実施例の内容に限定されるものではなく、本発明の要旨の範囲内において種々に変形して実施をすることが可能である。上記実施例は例示であり、それらの各構成要素や各処理プロセスの組み合わせにいろいろな変形例が可能なこと、またそうした変形例も本発明の範囲にあることは当業者に理解されるところである。
【図面の簡単な説明】
【００８１】
【図１】実施例１にかかるＥＣシステムを示す図である。
【図２】図１のＥＣシステムにおけるサーバの構成例を示す図である。
【図３】図２の画面表示制御部によってユーザ端末に表示される第１の画面表示例を示す図である。
【図４】図２の画面表示制御部によってユーザ端末に表示される第２の画面表示例を示す図である。
【図５】図１のモバイル端末あるいはＰＣ端末における構成例を示す図である。
【図６】図１のＥＣシステムにおけるサーバの処理手順例を示すフローチャートである。
【符号の説明】
【００８２】
１０  サーバ、  １２  サーバ通信部、  １４  受付部、  １６  サーバメモリ、  １８  質問票生成部、  ２０  画面表示制御部、  ２２  購入制御部、  ２４  入出力インタフェース、  ３０  ネットワーク、  ４０  基地局、  ４０ａ  第１基地局、  ４０ｂ  第２基地局、  ４０ｃ  第３基地局、  ５０  モバイル端末、  ５０ａ  第１モバイル端末、  ５０ｂ  第２モバイル端末、  ５０ｃ  第３モバイル端末、  ５２  端末通信部、  ５４  端末制御部、  ５６  ユーザインタフェース、  ５８  端末メモリ、  ７０  ＰＣ端末、  １００  ＥＣシステム、  ２００  第１の画面表示例、  ２１０  商品画像表示欄、  ２１２  商品情報表示欄、  ２１４  購入情報表示欄、  ２１６  お気に入り追加ボタン、  ２１８  チェックボタン、  ２２０  質問票表示欄、  ２２２  質問内容表示欄、  ２２４  回答ボタン、  ３００  第２の画面表示例、  ３１０  商品一覧表示欄、  ３１２  商品表示欄、  ３１４  購入回数表示欄。
【要約】
【課題】医薬品などを販売商品とする電子商取引において、商品が不適切に販売される可能性を低減させること。
【解決手段】サーバ装置１０は、商品に関する商品情報をユーザの端末画面に表示し、ユーザによりいずれかの商品が購入対象として選択されたことを受け付けて、その商品が医薬品に関する場合、その医薬品の服用予定者に対する複数の質問が含まれた質問票（問診票）と質問毎の回答例を生成した上で、ユーザからの質問票（問診票）の回答を質問ごとに受け付け、受け付けた回答が対応する回答例と１つでも一致していないときは、その商品の購入を否認する。
【選択図】図１【図１】
0005535411.tif 000002
【図２】
0005535411.tif 000003
【図３】
0005535411.tif 000004
【図４】
0005535411.tif 000005
【図５】
0005535411.tif 000006
【図６】
0005535411.tif 000007